(57)【要約】【課題】エアーカーテンで囲った空間内のエアーが外に漏れず、人がエアーカーテンを通過する際の不快感や各種の弊害を軽減するエアーカーテン付天井空気清浄機を提供する。【解決手段】天井部３に設置した機体４にエアーカーテン吹出口５を設け、エアーカーテン吹出口５からのエアーカーテン６にて部屋２を一空間２ａと他空間２ｂとに分けて、一空間２ａ側に臨むエアー吸込口７および他空間２ｂ側に臨むエアー吹出口８を機体４に設け、さらに機体４内に空気清浄機９及び送風機１０を設けてなり、エアー吹出口８からの吹出エアー量（Ｑ１）をエアーカーテン６が他空間２ｂ側から巻き込む空気量（Ｑ２）よりも大（Ｑ１＞Ｑ２）に設定して一空間２ａ内を負圧域にし、必要時に風量調整器１１によりエアー吹出口８からの吹出エアー量（Ｑ１）を変えて、エアーカーテン吹出口５からのエアーカーテン流速Ｖを変えることで、上記課題を達成する。【選択図】図１
2009195890.tif 000002
【特許請求の範囲】
【請求項１】
部屋の天井部に設置した機体にエアーカーテン吹出口を設け、該エアーカーテン吹出口からのエアーカーテンにて前記部屋を一空間と他空間とに分けて、前記一空間側に臨む前記機体にエアー吸込口を設けると共に、前記他空間側に臨む前記機体にエアー吹出口を設け、さらに、前記エアー吸込口と前記エアーカーテン吹出口及び前記エアー吹出口との間に位置する前記機体内に空気清浄機及び送風機を設けてなり、前記エアー吹出口からのエアー量（Ｑ１）をエアーカーテンが前記他空間側から巻き込む空気量（Ｑ２）よりも大（Ｑ１＞Ｑ２）に設定して、前記一空間内を負圧域にすると共に、前記エアーカーテン吹出口と前記エアー吹出口との間に風量調整器を設けて、必要時に前記風量調整器により前記エアー吹出口からの吹出エアー量を変えて、前記エアーカーテン吹出口からのエアーカーテン流速を変えることを特徴とするエアーカーテン付天井空気清浄機。
【請求項２】
前記風量調整器によるエアーカーテン流速を変えることは、前記機体に設けた人感知センサにより、エアーカーテンを通過して前記一空間および前記他空間の間を移動する人を感知し、エアーカーテン流速を変え、通過後に元のエアーカーテン流速に復帰させる請求項１記載のエアーカーテン付天井空気清浄機。
【請求項３】
前記風量調整器によるエアーカーテン流速を変えることは、特定人にＩＣタグを付け、且つ前記機体に前記ＩＣタグの信号の受信器を取り付けてなり、前記特定人がエアーカーテンを通過して前記一空間および前記他空間の間を移動する際、前記特定人の前記Ｉタグからの信号を前記受信器が受信してエアーカーテン流速を変え、通過後に元のエアーカーテン流速に復帰させる請求項１記載のエアーカーテン付天井空気清浄機。
【請求項４】
前記エアーカーテン吹出口からのエアーカーテンは、前記一空間側から前記他空間側にかけてその流速を順次速めて、エアーカーテンによる前記一空間内のエアーとの巻き込み混合を抑制し、前記一空間側から前記他空間側への一空間内エアーの漏れを防ぐ請求項１記載のエアーカーテン付天井空気清浄機。
【請求項５】
前記空気清浄機よりも下流で前記エアーカーテン吹出口及び前記エアー吹出口よりも上流に位置する前記機体内に、除菌イオン発生器を設けた請求項１、２、３または４記載のエアーカーテン付天井空気清浄機。
【発明の詳細な説明】
【技術分野】
【０００１】  本発明は、部屋の天井部に設置し、エアーカーテンにて部屋を気流的に分けて、分けた部屋のいずれかの空間を選択的に清浄状態を常時保持しようとするエアーカーテン付天井空気清浄機に関する。
【背景技術】
【０００２】  部屋の天井部にエアーカーテン装置を設置し、エアーカーテンを吹き下ろして部屋を気流的に分けることや、部屋の出入口上部にエアーカーテン装置を設置して、外部から部屋に汚染エアーを侵入させないようにしたり、逆に部屋から汚染エアーを出さないようにしたりすることが行われている。これらエアーカーテン装置は、扉などの障害物が無く人の往来が自在であり、しかも見通しも良いことから非常に多く使用されている。【０００３】  しかしながら、前者の部屋の天井部にエアーカーテン装置を設置した場合で、例えば、エアーカーテンにて部屋を気流的に分けた一空間を喫煙室とし、他空間を非喫煙室とすると、エアーカーテン装置からのエアーカーテンは、喫煙室内および非喫煙室内の双方のエアーを巻き込み混合し、やがて床に衝突して喫煙室および非喫煙室の双方に流れる。この現象を解析すると、エアーカーテンが巻き込んだ喫煙室内のエアーは、その一部が非喫煙室内に流れ、逆に、エアーカーテンが巻き込んだ非喫煙室内のエアーは、その一部が喫煙室内に流れることになって、時間の経過と共に喫煙室内および非喫煙室内の双方のエアーが混合して、エアーカーテン装置を設置した意味がなくなってしまう。また、喫煙室および非喫煙室を行き来する人によっても誘引されて、上述の場合と同じ結果になる。【０００４】  また、後者の部屋の出入口上部にエアーカーテン装置を設置した場合では、その遮断性を上げるためにエアーカーテンの流速を高めていることが多いが、人が出入口を通過する際髪の毛を乱したりして不快感を与えかねず、また、飲食店などで店員が部屋の出入口を通って料理を運ぶ際、料理上のトッピング、例えば、刻み海苔、カツ節、青のり、ごま、刻みネギなどが飛散してしまう虞がある。なお、この例は、前者についても同じことが起こる。【０００５】  したがって、上記のエアーカーテン装置を実効があるようにするには、喫煙室内のエアーが非喫煙室内に流れ込まないようにすると共に、エアーカーテン装置が喫煙室内のエアーをそのままエアーカーテンとして、吹き出さないようにすることである。このような観点から、以下のような技術が知られている。
【特許文献１】特開平６−１２６１１７号公報
【特許文献２】実開平７−３５９２７号公報
【０００６】  特許文献１のエアーカーテン付空気清浄機は、図４に示すように、下向きのエアーカーテン５０を作るエアーカーテン吹出口５１のある空気清浄機本体５２を部屋の天井部５３に１以上設置して、エアーカーテン５０により部屋５４を囲い空間５５を作り、さらに、空気清浄機本体５２に空間５５内のエアーを吸い込むエアー吸込口５６および空間５５外にエアーを吹き出すエアー吹出口５７を設け、エアー吸込口５６とエアー吹出口５７およびエアーカーテン吹出口５１との間の機体５２内に空気清浄機５８および送風機５９を設けてなり、エアー吹出口５７からのエアー量をエアーカーテン５０が空間５５外側から巻き込むエアー量よりも大に設定して、空間５５内を負圧域にし、空間５５内のエアーが外に漏れないようにしたものである。【０００７】  特許文献２のエアーカーテン付空気清浄機は、図５に示すように、天井部６０の周囲にエアーカーテン吹出口６１があり、さらに、天井部６０の中央部にエアー吸込口６２があって、エアーカーテン吹出口６１からのエアーカーテン６３により床６４、天井部６０と相俟って空間６５をつくり、この空間６５内のエアーを天井部６０のエアー吸込口６２にて吸い込み排出して空間６５内を一次的に負圧状態にし、部屋の他の空間に空間６５内のエアーを流出しないようにして、天井部６０内の空気清浄機により清浄化エアーとして再びエアーカーテン吹出口６１から吹き出し、循環させているものである。
【発明の開示】
【発明が解決しようとする課題】
【０００８】  上記した特許文献１のエアーカーテン付空気清浄機は、空間５５内が負圧域になり、空間５５内を喫煙所とした場合たばこの煙が外に出ることがなく、エアー吹出口５７およびエアーカーテン吹出口５１からのエアーは空気清浄機５８により清浄化している点で都合良い。しかしながら、負圧域になっている空間５５を出入りする人は、必ずエアーカーテン５０を通過するが、その際の不快感や店員が料理を運ぶ際の弊害を押さえることができない。【０００９】  上記した特許文献２のエアーカーテン付空気清浄機は、空間６５内を一次的に負圧状態にできるものの、天井部６０のエアー吸込口６２から吸い込んだエアーは空気清浄機により清浄化エアーとなり、再びエアーカーテン吹出口６１からその全量がエアーカーテン６３として吹き出されるから、結局空間６５内を恒常的に負圧状態に保持できず、空間６５内のエアーが外に流出してしまう。また、エアー吸込口６２から吸い込んだエアーは、その全量がエアーカーテン６３として吹き出されるから、人がエアーカーテン６５を通過する際の不快感や店員が料理を運ぶ際の弊害を押さえることができない。【００１０】  そこで、本発明は、上記事情に鑑みてなされたもので、エアーカーテンにて囲った空間内からエアーが外に漏れず、人がエアーカーテンを通過する際の不快感や各種の弊害を軽減することの出来るエアーカーテン付天井空気清浄機を提供することを課題とする。
【課題を解決するための手段】
【００１１】  本発明は、上記課題を達成するために提案されたものであって、下記の構成からなることを特徴とするものである。
すなわち、請求項１記載のエアーカーテン付天井空気清浄機は、部屋の天井部に設置した機体にエアーカーテン吹出口を設け、該エアーカーテン吹出口からのエアーカーテンにて前記部屋を一空間と他空間とに分けて、前記一空間側に臨む前記機体にエアー吸込口を設けると共に、前記他空間側に臨む前記機体にエアー吹出口を設け、さらに、前記エアー吸込口と前記エアーカーテン吹出口及び前記エアー吹出口との間に位置する前記機体内に空気清浄機及び送風機を設けてなり、前記エアー吹出口からのエアー量（Ｑ１）をエアーカーテンが前記他空間側から巻き込む空気量（Ｑ２）よりも大（Ｑ１＞Ｑ２）に設定して、前記一空間内を負圧域にすると共に、前記エアーカーテン吹出口と前記エアー吹出口との間に風量調整器を設けて、必要時に前記風量調整器により前記エアー吹出口からの吹出エアー量を変えて、前記エアーカーテン吹出口からのエアーカーテン流速を変えることを特徴とする。【００１２】  請求項２記載のエアーカーテン付天井空気清浄機は、前記風量調整器によるエアーカーテン流速を変えることは、前記機体に設けた人感知センサにより、エアーカーテンを通過して前記一空間および前記他空間の間を移動する人を感知し、エアーカーテン流速を変え、通過後に元のエアーカーテン流速に復帰させることを特徴とする。【００１３】  請求項３記載のエアーカーテン付天井空気清浄機は、前記風量調整器によるエアーカーテン流速を変えることは、特定人にＩＣタグを付け、且つ前記機体に前記ＩＣタグの信号の受信器を取り付けてなり、前記特定人がエアーカーテンを通過して前記一空間および前記他空間の間を移動する際、前記特定人の前記ＩＣタグからの信号を前記受信器が受信してエアーカーテン流速を変え、通過後に元のエアーカーテン流速に復帰させることを特徴とする。【００１４】  請求項４記載のエアーカーテン付天井空気清浄機は、前記エアーカーテン吹出口からのエアーカーテンは、前記一空間側から前記他空間側にかけてその流速を順次速めて、エアーカーテンによる前記一空間内のエアーとの巻き込み混合を抑制し、前記一空間側から前記他空間側への一空間内エアーの漏れを防ぐことを特徴とする。【００１５】  請求項５記載のエアーカーテン付天井空気清浄機は、前記空気清浄機よりも下流で前記エアーカーテン吹出口及び前記エアー吹出口よりも上流に位置する前記機体内に、除菌イオン発生器を設けたことを特徴とする。
【発明の効果】
【００１６】  本発明によれば、以下のような効果がある。
請求項１記載のエアーカーテン付天井空気清浄機は、送風機を駆動させ一空間側に臨むエアー吸込口からエアーを吸い込み、空気清浄機により清浄化エアーにしてから、その清浄化エアーを風量調整器により調整して、他空間側に臨むエアー吹出口からエアーを吹き出すと共に、エアーカーテン吹出口からエアーカーテンを吹き下ろして、部屋を一空間と他空間とに分け、エアー吹出口からの吹出エアー量（Ｑ１）をエアーカーテンの外部巻込空気量（Ｑ２）よりも大（Ｑ１＞Ｑ２）に設定してあるから、一空間側が負圧域となり、さらに、エアーカーテン風速を変える必要があるとき、風量調整器を操作し、エアー吹出口からの吹出エアー量（Ｑ１）を変えて、エアーカーテン吹出口からのエアーカーテン流速を変える。したがって、部屋の一空間内のエアーが他空間側に漏れず、人がエアーカーテンを通過する際の不快感や各種の弊害を軽減することができる効果がある。【００１７】  請求項２記載のエアーカーテン付天井空気清浄機は、エアーカーテンを通過して一空間および他空間の間を移動する人を人感知センサにより感知し、その感知信号に基づき風量調整器によりエアー吹出口からの吹出エアー量（Ｑ１）を変えて、エアーカーテン吹出口からのエアーカーテン流速を変え、人感知センサが人を感知しなくなったら、その無感知信号に基づいて風量調整器によりエアー吹出口からの吹出エアー量（Ｑ１）を変えて、元のエアーカーテン流速に復帰させる。したがって、上記効果に加えて、確実に、人がエアーカーテンを通過する際の不快感や各種の弊害を軽減することができる効果がある。【００１８】  請求項３記載のエアーカーテン付天井空気清浄機は、ＩＴタグを付けた特定人がエアーカーテンを通過して一空間および他空間の間を移動する際、機体の受信機がＩＴタグからの信号を受信し、その受信信号基づき風量調整器によリエアー吹出口からの吹出エアー量（Ｑ１）を変えて、エアーカーテン吹出口からのエアーカーテン流速を変え、受信機がＩＴタグからの信号を受信しなくなったら、その無受信信号に基づいて風量調整器によりエアー吹出口からの吹出エアー量（Ｑ１）を変えて、元のエアーカーテン流速に復帰させる。したがって、上記効果に加えて、確実に、特定人がエアーカーテンを通過する際の不快感や各種の弊害を軽減することができる効果がある。【００１９】  請求項４記載のエアーカーテン付天井空気清浄機は、一空間内のエアーに接するエアーカーテン流速は遅いから、巻き込み混合する一空間内のエアー量も少なく、その分一空間内エアーの他空間側への漏れを防ぐ。したがって、上記効果に加えて、より一層、一空間内のエアーが他空間側へ漏れなくなる効果がある。【００２０】  請求項５記載のエアーカーテン付天井空気清浄機は、除菌イオン発生器により機体内の清浄化エアーに除菌イオンを放出し、除菌イオン含有の清浄化エアーとして、エアー吹出口およびエアーカーテン吹出口から吹き出す。したがって、上記の効果に加えて、除菌イオンによる効果も期待できる。
【発明を実施するための最良の形態】
【００２１】  以下に、図面を参照して本発明を実施するための最良の形態を説明する。
【実施例１】
【００２２】  図１は本発明の実施の形態を示すエアーカーテン付天井空気清浄機を天井部に設置した状態の断面図、図２は図１のエアーカーテン付天井空気清浄機の断面図である。図面において、エアーカーテン付天井空気清浄機１は、部屋２の天井部３に設置した機体４にエアーカーテン吹出口５を設け、このエアーカーテン吹出口５からのエアーカーテン６にて部屋２を一空間２ａと他空間２ｂとに分けて、一空間２ａ側に臨む機体４にエアー吸込口７を設けると共に、他空間２ｂ側に臨む機体４にエアー吹出口８を設け、さらに、エアー吸込口７とエアーカーテン吹出口５及びエアー吹出口８との間に位置する機体４内に空気清浄機９及び送風機１０を設けてなり、エアー吹出口８からのエアー量（Ｑ１）をエアーカーテン６が他空間２ｂ側から巻き込む空気量（Ｑ２）よりも大（Ｑ１＞Ｑ２）に設定して、一空間２ａ内を負圧域にすると共に、エアーカーテン吹出口５とエアー吹出口８との間に風量調整器１１を設けて、必要時に風量調整器１１によりエアー吹出口８からの吹出エアー量（Ｑ１）を変えて、エアーカーテン吹出口５からのエアーカーテン流速Ｖを変えるものである。【００２３】  前記エアーカーテン付天井空気清浄機１は、部屋２の天井部３に設置するが、図１のように、エアーカーテン吹出口５及びエアー吹出口８のみが天井部３から裸出して設置しても、また、機体４全体が天井部３から裸出していても良い。この設置状況は部屋２、例えば、飲食店舗の条件により決まるもので、図１に限定されない。【００２４】  前記機体４は、偏平な箱体をなし、箱体の一端部にエアー吸込口７が設けられ、他端部の凸部１２にエアーカーテン吹出口５およびエアー吹出口８が設けられて、エアーカーテン吹出口５からのエアーカーテン６にて、部屋２を一空間２ａと他空間２ｂとに分け、一端部のエアー吸込口７は一空間２ａ側に臨み、他端部の凸部１２にあるエアー吹出口８は他空間２ｂ側に臨んでいる。なお、エアーカーテン吹出口５およびエアー吹出口８の出口端部にはハニカムコア（不図示）などが嵌め込まれて、それらの整流および方向性が担保されたものとなっている。【００２５】  そして、この機体４内には、前記空気清浄機９及び前記送風機１０が設けられ、空気清浄機９は、ある一定の清浄化性能を有すれば特に限定がないが、エアー吸込口７に取り付け比較的大きな粒子を除去するプレフィルター２０と、このプレフィルター２０を通過した微粒子を除去する電気集塵機２１と、臭気などの汚染ガスを吸着する吸着フィルタ２２とからなる。なお、電気集塵機２１の代わりに、高性能のメカニカルフィルターを用いても良い。【００２６】  送風機１０は、エアー吹出口８からの吹出エアー量（Ｑ１）、並びにエアーカーテン吹出口５からのエアーカーテン６量及び外部巻込み空気量（Ｑ２）を、エアー吸込口７から吸い込みでき、且つ、エアー吹出口８およびエアーカーテン吹出口５からの吹出エアー量（Ｑ１）及びエアーカーテン６量を吹き出すことが出来るのに必要な、風量と風圧とを発生可能なものであれば、特に限定がない。【００２７】  前記風量調整器１１は、前記機体４の凸部１２にあるエアーカーテン吹出口５およびエアー吹出口８の仕切板１３の端部に設けられ、回転軸１４に翼１５が固定されてなり、この回転軸１４が正逆回転されることで、エアー吹出口８からの吹出エアー量（Ｑ１）が増減され、それに対応してエアーカーテン吹出口５からのエアーカーテン流速Ｖが増減される。すなわち、風量調整器１１の回転軸１４により翼１５をＡ方向に回転させると、エアー吹出口８からの吹出エアー量（Ｑ１）が増え、相対的にエアーカーテン吹出口５からのエアーカーテン６量が減り、エアーカーテン吹出口５自体の吹出断面積は一定であるから、エアーカーテン流速Ｖが遅くなる。したがって、人がエアーカーテン６を通過する際の不快感やその他の弊害が軽減される。但し、部屋２の一空間２ａ内の負圧強度は弱くなっていしまう。【００２８】  逆に、風量調整器１１の翼１５をＢ方向に回転させると、エアー吹出口８からの吹出エアー量（Ｑ１）が減り、相対的にエアーカーテン吹出口５からのエアーカーテン６量が増え、エアーカーテン吹出口５自体の吹出断面積は一定であるから、エアーカーテン流速Ｖが速くなる。したがって、人がエアーカーテン６を通過する際の不快感やその他の弊害が増幅されるが、部屋２の一空間２ａ内の負圧強度は強くなる。【００２９】  上記した風量調整器１１の制御は、次のようにしてなされる。すなわち、機体４に人感知センサ２３が取り付けられ、人が前記一空間２ａおよび前記他空間２ｂのいずれかから移動して、予め定めた距離までエアーカーテン６に近づくと、換言すれば、人感知センサ２３の感知範囲に人が入ると、人感知センサ２３により人を感知し、この感知信号により風量調整器１１の翼１５をＡ方向に回転させ、エアーカーテン流速Ｖを遅くして、人がエアーカーテン６を通過する際の不快感やその他の弊害を軽減する。そして、人が人感知センサ２３の感知範囲外に出ると、無感知信号により風量調整器１１の翼１５をＢ方向に回転させ、元のエアーカーテン流速Ｖに復帰させる。【００３０】  また、上記した風量調整器１１の制御は、次のようにしても良い。すなわち、店員などの特定人２４にＩＣタグ２５を取り付け、機体４にＩＣタグ２５からの信号を受信する受信器２６を取り付けて、特定人２４が一空間２ａおよび他空間２ｂのいずれかから移動して、予め定めた距離までエアーカーテン６に近づくと、換言すれば、受信器２６の受信範囲に特定人２４が入ると、受信器２６により特定人２４のＩＣタグ２５からの信号を受信し、この受信信号により風量調整器１１の翼１５をＡ方向に回転させ、エアーカーテン流速Ｖを遅くして、特定人２４がエアーカーテン６を通過する際の不快感やその他の弊害を軽減する。そして、特定人２４が受信器２６の受信範囲外に出ると、無受信信号により風量調整器１１の翼１５をＢ方向に回転させ、元のエアーカーテン流速Ｖに復帰させる。【００３１】  また、除菌イオン発生器２７は、図１、２に示すように、前記空気清浄機９よりも下流でエアーカーテン吹出口５及びエアー吹出口８よりも上流に位置する機体４内に設けられている。したがって、除菌イオン発生器２７により機体４内の清浄化エアーに除菌イオンＲを放出し、除菌イオン含有の清浄化エアーとして、エアー吹出口５およびエアーカーテン吹出口８から吹き出し、除菌イオンＲの効果を享受できる���【００３２】  前記した除菌イオン発生器２７としては、例えば、両イオン発生電極の間に誘電体を挟み、一方のイオン発生電極に電圧１．５ＫＶ〜３．０ＫＶ、周波数１５ＫＨｚ〜２．５ＫＨｚの交流を印加し、他方のイオン発生電極をアースした形態のものがある。この形態では、それぞれのイオン発生電極で正のイオンであるＨ＋（Ｈ２Ｏ）ｍ、あるいは負のイオンであるＯ２−（Ｈ２Ｏ）ｎ（ｍ、ｎは整数）の構造を持つものが発生する。これらの正・負のイオンは、それぞれクラスター状をなして除菌イオンＲを構成する。この除菌イオンＲは、空気中に浮遊している菌やウイルスを取り囲み、これらの菌やウイルスの表面でこれらの正・負のクラスターイオンの反応により、ヒドロキシラジカル・ＯＨまたは過酸化水素Ｈ２Ｏ２を生成し、これらにより菌やウィルスを不活化、すなわち死滅させるのである。【００３３】  また、除菌イオン発生器２７は、例えば、水に６．０ＫＶの高電圧をかけると、水は大きなエネルギーを得て表面張力を越えて次々とレイリー分裂（静電霧化）し、２０ｎｍ（ナノメートル）前後の水に包まれた除菌イオンＲである超微細なイオンが発生する形態のものでも良い。この形態のものにより発生した超微細なイオンは、ヒドロキシラジカル・ＯＨを含みしかも水により囲まれているため長持ちし、菌やウイルスを包み込んでヒドロキシラジカル・ＯＨにより菌やウイルスを死滅させるのである。なお、上記のいずれの形態のものによる除菌イオンＲでも、菌やウイルス以外に臭気成分なども分解することが可能である。【００３４】  次に、上記構成になるエアーカーテン付天井空気清浄機１の作動を説明する。
エアーカーテン付天井空気清浄機１の起動スイッチをオンして、送風機１０、空気清浄機９、風量調整器１１及び除菌イオン発生器２７に作動信号を送りこれらを作動させる。まず、送風機１０の駆動により、エアー吸込口７から一空間２ａのエアーを吸い込み、空気清浄機９のプレフィルター２０により、吸込エアー中のゴミや灰などの比較的大きな粒子を除去し、このプレフィルター２０にて除去出来なかった微粒子を電気集塵機２１により除去し、さらに、臭気成分や有害ガスなどを吸着フィルタ２２により除去する。【００３５】  清浄化された吸込エアーは、さらに、除菌イオン発生器２７から放出している除菌イオンＲと混ざり、直ちに除菌作用が開始される。除菌イオンＲ含有の清浄化エアーは、エアー吹出口８からの吹出エアーと、エアーカーテン吹出口５からのエアーカーテンとに分かれて、除菌イオンＲの効果を享受する。なお、これらの吹出エアーおよびエアーカーテンは、エアー吹出口８およびエアーカーテン吹出口５に嵌め込まれたハニカムコアなどにより、それらの整流および方向性が担保されている。【００３６】  そして、風量調整器１１の翼１５をＡ方向あるいはＢ方向に回転することにより、エアー吹出口８からの吹出エアー量（Ｑ１）を調整して、この吹出エアー量（Ｑ１）をエアーカーテンの外部巻込み空気量（Ｑ２）よりも大（Ｑ１＞Ｑ２）にする設定を実行し、前記一空間２ａ内を安定した負圧域、すなわち、若干の外乱では一空間２ａ内のエアーが他空間２Ｂ側に流れない状態の負圧域にする。この状態の負圧域における風量調整器１１の翼１５の位置が定常状態であり、その時のエアーカーテン吹出口５からのエアーカーテン流速Ｖが定常流速である。一般的に、エアーカーテン流速Ｖが速ければ遮断性が高まるが、エアーカーテン風量およびエアーカーテンに伴う外部巻込み空気量（Ｑ２）も多くなり、逆に、エアー吹出口８からの吹出エアー量（Ｑ１）が減少するので、一空間２ａ内を負圧域にする条件（Ｑ１＞Ｑ２）を満たすことが困難となって、エアーカーテン流速Ｖには限界がある。【００３７】  したがって、一空間２ａ内のエアーが若干の外乱では他空間２ｂ側に流れないような、安定した負圧域の状態を保持することが目的であるから、この時の風量調整器１１の翼１５の位置α、すなわち、その時のエアーカーテン吹出口５からのエアーカーテン流速Ｖは上記したように定常流速であるが、最大流速に設定する。一方、最大流速時のエアーカーテンでは人の通過時に不快感や他の弊害があるので、その際エアーカーテンを止めるのが最も良いが、それでは上記した目的を全うすることが出来ない。そこで、一空間２ａ内を僅かながらの負圧域、すなわち、僅かな外乱では一空間２ａ内のエアーが他空間２ｂ側にかろうじて流れない状態の負圧域にする。この状態の負圧域における風量調整器１１の翼１５の位置β、その時のエアーカーテン吹出口５からのエアーカーテン流速Ｖを最小流速に設定する。以上の説明から、風量調整器１１の翼１５は、位置αから位置βの間で制御されることになる。なお、上記の説明は、風量調整器１１の翼１５が位置αおよび位置βから逸脱して回転することを、特に規制するものではない。【００３８】  風量調整器１１の翼１５が���置αにある状態で、エアーカーテン吹出口５から定常流速で吹き出されているエアーカーテン６を、他空間２ｂ側から人が近づき人感知センサ２３の感知範囲に入ると、人を感知しこの感知信号により、風量調整器１１の翼１５がＡ方向に位置βまで回転し、エアーカーテン流速Ｖを遅くし人の通過時における不快感や他の弊害を抑制する。人がエアーカーテン６を通過し一空間２ａ側に入り人感知センサ２３の感知範囲から外れると、人の無感知信号により、風量調整器１１の翼１５がＢ方向に位置αまで回転し、元のエアーカーテン流速Ｖに復帰させる。なお、一空間２ａ側からエアーカーテン６を通過し他空間２ｂ側に入る場合も、上記と同様であるので説明を省略する。【００３９】  ＩＣタグ２４付の特定人２４がエアーカーテン６を通過する場合も上記の場合とほぼ同様である。すなわち、特定人２４が他空間２ｂ側からエアーカーテン６に近づき受信器２６の受信範囲に入ると、ＩＣタグ２５からの受信信号により風量調整器１１を操作して、エアーカーテン流速Ｖを遅くし、特定人２４がエアーカーテン６を通過する際の不快感やその他の弊害を軽減する。特定人２４が受信器２６の受信範囲外に出ると、ＩＣタグ２５からの無受信信号により風量調整器１１を操作して、元のエアーカーテン流速Ｖに復帰させる。なお、一空間２ａ側からエアーカーテン６を通過し他空間２ｂ側に入る場合も、上記と同様であるので説明を省略する。【００４０】  以後、上記の繰り返しとなり、一空間２ａ内を喫煙空間とした場合には、若干の外乱ではたばこの煙が非喫煙空間である他空間２ｂ側に流れず、たばこの煙を除去しつつ、且つ除菌イオンＲ含有の清浄化エアーにより除菌や脱臭もして、たばこの煙による喫煙空間内の汚れなどの弊害を除去し、喫煙空間は無論、部屋２全体の環境をも改善することが出来る。加えて、エアーカーテン６を通過する際の不快感やその他の弊害を軽減することが出来る。
【実施例２】
【００４１】  図３は本発明の他の実施の形態を示すエアーカーテン付天井空気清浄機におけるエアーカーテン吹出口及びエアー吹出口部分の断面図であり、このエアーカーテン付天井空気清浄機１Ａと図１、２のエアーカーテン付天井空気清浄機１との相違点は、エアーカーテン吹出口５Ａが主吹出口３０と副吹出口３１とに分かれ、副吹出口３１には傾斜板３２に各小孔３３を開けて、各小孔３３から副吹出口３１の吹出端３１ａまでの距離を変えている。これにより、副吹出口３１の各小孔３３からの各エアーカーテン６Ａが一空間２ａ側から他空間２ｂ側にかけてその流速が初めは遅く順次早くなり、すなわち、一空間２ａ内のエアーに接しているエアーカーテン流速が遅く順次速くなっているから、その分、各エアーカーテン６Ａによる一空間２ａ内のエアーとの巻き込み混合を抑制することが出来、より確実に一空間２ａ側から他空間２ｂ側への一空間２ａ内エアーの漏れを防ぐことが出来るものである。その他の構成、作用は図１、２のエアーカーテン付天井空気清浄機１と同様なので、図面に符号を付してその説明を省略する。【００４２】  以上、本発明の実施例１、２を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００４３】  本発明は、エアーカーテンにて囲った空間内からエアーが外に漏れず、人がエアーカーテンを通過する際の不快感や各種の弊害を軽減したいような場合に、その利用可能性が極めて高くなる。
【図面の簡単な説明】
【００４４】
【図１】  本発明の実施の形態を示すエアーカーテン付天井空気清浄機を天井部に設置した状態の断面図である（実施例１）。
【図２】  図１のエアーカーテン付天井空気清浄機の断面図である（実施例１）。
【図３】  本発明の他の実施の形態を示すエアーカーテン付天井空気清浄機におけるエアーカーテン吹出口及びエアー吹出口部分の断面図である（実施例１）。
【図４】  従来例を示す断面図である。
【図５】  従来例を示す斜視図である。
【符号の説明】
【００４５】  １、１Ａ                エアーカーテン付天井空気清浄機
２                      部屋
２ａ                    一空間
２ｂ                    他空間
３                      天井部
４                      機体
５                      エアーカーテン吹出口
６、６Ａ                エアーカーテン
７                      エアー吸込口
８                      エアー吹出口
９                      空気清浄機
１０                    送風機
１１                    風量調整器
１２                    凸部
１３                    仕切板
１４                    回転軸
１５                    翼
２０                    プレフィルタ
２１                    電気集塵機
２２                    吸着フィルタ
２３                    人感知センサ
２４                    特定人
２５                    ＩＣタグ
２６                    受信器
２７                    除菌イオン発生器
３０                    主吹出口
３１                    副吹出口
３１ａ                  吹出端
３２                    傾斜板
３３                    小孔
Ｑ１                    吹出エアー量
Ｑ２                    外部巻込空気量
Ｒ                      除菌イオン
α、β                  風量調整器の翼の位置
【図１】
2009195890.tif 000003
【図２】
2009195890.tif 000004
【図３】
2009195890.tif 000005
【図４】
2009195890.tif 000006
【図５】
2009195890.tif 000007